(57)【要約】【課題】大きな始動トルクを得ることのできるコンデンサ始動単相誘導電動機を提供する。【解決手段】単相誘導電動機であって，主コイルと、該主コイルに並列接続された補助コイルと、補助コイルに直列接続されたコンデンサと、コンデンサから補助コイルに供給される電流の制御を行うガバナ回路とを備え、ガバナ回路は、単相誘導電動機の入力電源の電圧の半周期未満の間に１回、補助コイルを非導通状態から導通状態に遷移させ再び非導通状態に遷移させる動作を繰り返す始動制御を行う。補助コイルが導通状態のときにコンデンサから補助コイルに電流が流れ、始動トルクを得ることができる。【選択図】図１
2017229225.tif 000002
【特許請求の範囲】
【請求項１】
単相誘導電動機であって，
主コイルと、
前記主コイルに並列接続された補助コイルと、
前記補助コイルに直列接続されたコンデンサと、
前記コンデンサから前記補助コイルに供給される電流の制御を行うガバナ回路と
を備え、
前記ガバナ回路は、前記単相誘導電動機の入力電源電圧の半周期未満の間に１回、前記補助コイルを非導通状態から導通状態に遷移させ再び非導通状態に遷移させる動作を繰り返す始動制御を行い、前記補助コイルが導通状態のときに前記コンデンサから前記補助コイルに電流が流れる、単相誘導電動機。
【請求項２】
前記ガバナ回路は、
前記補助コイルに直列接続されたトライアックと、
前記トライアックに接続され、前記トライアックのゲート信号を生成する制御回路と
を備え、前記ゲート信号に基づいて前記トライアックを切替え制御することによって前記始動制御を行う請求項１に記載の単相誘導電動機。
【請求項３】
前記非導通状態から導通状態に遷移させ再び非導通状態に遷移させる動作を、
前記入力電源電圧の半周期の間に１回、
前記入力電源電圧の１周期の間に、前記入力電源電圧が正及び負のときに各１回であわせて２回、
前記入力電源電圧の１周期の間に、前記入力電源電圧が正又は負のときに１回、または
前記入力電源電圧の所定数周期の間に１回、
繰り返すよう、前記ガバナ回路は設定されている、請求項１に記載の単相誘導電動機。
【請求項４】
前記ガバナ回路は、前記単相誘導電動機に電源が投入されてから前記単相誘導電動機が所定の回転速度に到達するまでの期間に前記始動制御を行い、単相誘導電動機が前記所定の回転速度に到達したのちは、定常制御を行うよう構成された請求項１に記載の単相誘導電動機。
【請求項５】
前記定常制御において、前記補助コイルは常時導通状態にされる、請求項４に記載の単相誘導電動機。
【請求項６】
前記定常制御において、前記補助コイルは常時非導通状態にされる、請求項４に記載の単相誘導電動機。
【請求項７】
前記ガバナ回路は、前記始動制御において、前記入力電源電圧の絶対値が所定の電圧以上になると前記補助コイルを非導通状態から導通状態に遷移させ，前記コンデンサと前記補助コイルによる共振電流が略ゼロとなったときに再び非導通状態に遷移させる、請求項１に記載の単相誘導電動機。
【請求項８】
前記ガバナ回路は、入力電源電圧が供給されてから，所定期間、前記始動制御を行い、前記所定時間経過後は前記定常制御に移行する、請求項１に記載の単相誘導電動機
【請求項９】
前記単相誘導電動機のロータが停止時の前記補助コイルと前記コンデンサで構成される共振回路の共振周波数が、前記入力電源電圧の周波数の２倍以上になるように、前記コンデンサの静電容量が設定されている請求項１から８記載の単相誘導電動機。
【請求項１０】
前記補助コイルに直列接続されたトライアックのゲート信号は、前記所定の電圧が前記入力電源電圧のピーク電圧の５分の１以上のときにオンされる、請求項７に記載の単相誘導電動機。
【請求項１１】
前記トライアックは、前記入力電源電圧の絶対値が、前記入力電源電圧のピーク電圧にほぼ等しいときにオフにされる、請求項２に記載の単相誘導電動機。
【請求項１２】
前記トライアックのゲート信号をオンにしてからオフにするまでの期間は、前記補助コイルと前記コンデンサで構成される共振回路の共振周期の半周期よりも短い、請求項２に記載の単相誘導電動機。
【請求項１３】
単相誘導電動機であって，
主コイルと、
前記主コイルに並列接続された補助コイルと、
前記補助コイルに直列接続された第１コンデンサと、
前記第１コンデンサに並列接続され、かつ前記補助コイルに直列接続された第２コンデンサと、
前記第１コンデンサと前記補助コイルとの間に接続され、前記第１コンデンサから前記補助コイルに供給される電流の制御を行うよう構成された第１ガバナ回路と、
を備え、
前記第１ガバナ回路は、前記単相誘導電動機の入力電源電圧の半周期未満の間に１回、前記補助コイルを非導通状態から導通状態に遷移させ再び非導通状態に遷移させる動作を繰り返す始動制御を行い、前記補助コイルが導通状態のときに前記第１コンデンサ、から前記補助コイルに電流が流れるよう構成される、単相誘導電動機。
【請求項１４】
請求項１３に記載の単相誘導電動機であって、前記第１ガバナ回路は、定常制御において、前記第１コンデンサと前記補助コイルとの間を常時導通状態とする、あるいは常時非導通状態とする、単相誘導電動機。
【請求項１５】
請求項１３に記載の単相誘導電動機であって、
前記第２コンデンサと、前記補助コイルとの間に接続され、前記第２コンデンサから前記補助コイルに供給される電流の制御を行うよう構成された第２ガバナ回路と
をさらに備え、
前記第２ガバナ回路は、前記単相誘導電動機の入力電源電圧の半周期未満の間に１回、前記補助コイルを非導通状態から導通状態に遷移させ再び非導通状態に遷移させる動作を繰り返す始動制御を行い、前記補助コイルが導通状態のときに前記第２コンデンサから前記補助コイルに電流が流れる、単相誘導電動機。
【請求項１６】
請求項１５に記載の単相誘導電動機であって、
前記単相誘導電動機の前記入力電源電圧の絶対値が、前記入力電源電圧のピーク電圧の５分の１以上の間に、前記第１ガバナ回路は、前記第１コンデンサと前記補助コイルとの間を非導通状態から導通状態に遷移させ、前記第２ガバナ回路は、前記第２コンデンサと前記補助コイルとの間を非導通状態から導通状態に遷移させる、単相誘導電動機。
【請求項１７】
請求項１５または請求項１６に記載の単相誘導電動機であって、
前記第１ガバナ回路が、前記第１コンデンサと前記補助コイルとの間を非導通状態から導通状態に遷移させるタイミングと、前記第２ガバナ回路が、前記第２コンデンサと補助コイルとの間を非導通状態から導通状態に遷移させるタイミングとは異なる、単相誘導電動機。
【請求項１８】
請求項１５から請求項１７のいずれか１項に記載の単相誘導電動機であって、前記第１コンデンサの容量と、前記第２コンデンサの容量とは任意に選択可能である、単相誘導電動機。
【請求項１９】
単相誘導電動機であって，
主コイルと、
前記主コイルに並列接続された補助コイルと、
前記補助コイルに直列接続された第１コンデンサと、
前記第１コンデンサと、前記補助コイルの間に接続され、前記第１コンデンサから前記補助コイルに供給される電流の制御を行うように構成された第１ガバナ回路と、
を備え、
前記第１ガバナ回路は、前記単相誘導電動機の入力電源電圧の半周期未満の間に１回、前記補助コイルを非導通状態から導通状態に遷移させ再び非導通状態に遷移させる動作を繰り返す始動制御を行い、前記補助コイルが導通状態のときに前記第１コンデンサ、から前記補助コイルに電流が流れるよう構成される、単相誘導電動機。
【請求項２０】
請求項１９に記載の単相誘導電動機であって、
前記第１ガバナ回路と前記主コイルとの間を接続可能なパスをさらに備え、
前記第１ガバナ回路は、定常制御において、前記パスに常時接続され、それにより前記主コイルと、前記主コイルと異なるインピーダンスを有する前記補助コイルとの間を直接導通させる、単相誘導電動機。
【発明の詳細な説明】
【技術分野】
【０００１】
本技術は、単相誘導電動機に関する。
【背景技術】
【０００２】
単相誘導電動機は、多くの分野、例えば、ポンプや、コンプレッサ、空調装置に利用されている。単相誘導電動機の一つに、始動コンデンサを用いたコンデンサ始動型単相誘導電動機がある。このコンデンサは、単相誘導電動機の始動工程で、主コイル及び補助コイルに適当な電圧を供給するために用いられる。従来、コンデンサ始動型単相誘導電動機の始動トルクを得るために様々な手法が用いられてきた。例えば、始動トルクを得るために容量の大きな始動コンデンサを用いることがあった。また、例えば、特許文献１に記載の技術では、２つの並列接続されたコンデンサを用いて、始動時には高い静電容量を確保して始動トルクを得ることがあった。
【先行技術文献】
【特許文献】
【０００３】
【特許文献１】特開２０１２−１１５０３４号公報
【発明の概要】
【発明が解決しようとする課題】
【０００４】
しかしながら、モータが定格回転数に到達すると、コンデンサとそれに接続されたコイルは損失部材として働き、モータの駆動効率を低下させる。従って、始動トルクを大きくするためにコンデンサの容量を増やすと、定格回転数運転時の誘導電動機の駆動効率は低下する。本技術は、上記課題に鑑みてなされたものであり、その目的の一つは、コンデンサ始動型単相誘導電動機において、定格回転数運転時の損失を低減し、駆動効率を改善することにある。
【０００５】
また、特許文献１における構成では、コンデンサが複数必要となる。本技術の他の目的の一つは、単相誘導電動機において、経済的に始動トルクを得ることにある。
【課題を解決するための手段】
【０００６】
本技術は、上述の課題の少なくとも一部を少なくとも部分的に解決することを意図している。
第１の形態によれば、主コイルと、前記主コイルと並列接続された補助コイルと、前記補助コイルに直列接続されたコンデンサと、前記コンデンサから前記補助コイルに供給される電流の制御を行うガバナ回路とを備え、前記ガバナ回路は、前記単相誘導電動機の入力電源電圧の半周期未満の間に１回、前記補助コイルを非導通状態から導通状態に遷移させ再び非導通状態に遷移させる動作を繰り返す始動制御を行い、前記補助コイルが導通状態のときに前記コンデンサから前記補助コイルに電流が流れる、単相誘導電動機を特徴とする。
【０００７】
この一形態によれば、ガバナ回路の非導通状態、導通状態の遷移を周期的に制御することにより、始動コンデンサの容量と、補助コイルのインピーダンスで確定する共振状態を作り出し、始動時の励磁電流を増加させることができる。これにより単相誘導電動機において大きな始動トルクを得ることができる。
【０００８】
第２の形態によれば、前記ガバナ回路は、前記補助コイルに直列接続されたトライアックと、前記トライアックに接続され、前記トライアックのゲート信号を生成する制御回路
とを備え、前記ゲート信号に基づいて前記トライアックを切替え制御することによって前記始動制御を行う第１の形態に記載の単相誘導電動機を特徴とする。
【０００９】
第３の形態によれば、前記非導通状態から導通状態に遷移させ再び非導通状態に遷移させる動作を前記入力電源電圧の半周期の間に１回、前記入力電源電圧の１周期の間に、前記入力電源電圧が正及び負のときに各１回であわせて２回、前記入力電源電圧の１周期の間に、前記入力電源電圧が正又は負のときに１回、または前記入力電源電圧の所定数周期の間に１回、繰り返すよう、前記ガバナ回路は設定されている、第１の形態に記載の単相誘導電動機を特徴とする。
【００１０】
この一形態によれば、補助コイルの遷移動作が生ずる周期を適宜設定することで、始動コンデンサに蓄えられる電荷量を変化させることができる。
第４の形態によれば前記ガバナ回路は、前記単相誘導電動機に電源が投入されてから前記単相誘導電動機が所定の回転速度に到達するまでの期間に前記始動制御を行い、単相誘導電動機が前記所定の回転速度に到達したのちは、定常制御を行うよう構成された第１の形態に記載の単相誘導電動機を特徴とする。
【００１１】
この一形態によれば、始動制御においては始動コンデンサの容量を増やすことなく、始動トルクを得ている。従って、容量性負荷として働く始動コンデンサの影響を抑えて、定常制御時のモータの駆動効率を改善することができる。
【００１２】
第５の形態によれば前記定常制御において、前記補助コイルは常時導通状態にされる、第４の形態に記載の単相誘導電動機を特徴とする。
第６の形態によれば前記定常制御において、前記補助コイルは常時非導通状態にされる、第４の形態に記載の単相誘導電動機を特徴とする。
【００１３】
この一形態によれば、定常制御時において、始動コンデンサは単相誘導電動機の回路から切り離されている。従って容量性負荷として働く始動コンデンサによる影響はなく、定常制御時のモータの駆動効率を改善することができる。
【００１４】
第７の形態によれば前記ガバナ回路は、前記始動制御において、前記入力電源電圧の絶対値が所定の電圧以上になると前記補助コイルを非導通状態から導通状態に遷移させ、前記コンデンサと前記補助コイルによる共振電流が略ゼロとなったときに再び非導通状態に遷移させる、第１の形態に記載の単相誘導電動機を特徴とする。
【００１５】
第８の形態によれば、前記ガバナ回路は、入力電源電圧が供給されてから所定期間、前記始動制御を行い、前記所定時間経過後は前記定常制御に移行する、第１の形態に記載の単相誘導電動機を特徴とする。
【００１６】
第９の形態によれば前記単相誘導電動機のロータが停止時の前記補助コイルと前記コンデンサで構成される共振回路の共振周波数が、前記入力電源電圧の周波数の２倍以上になるように、前記コンデンサの静電容量が設定されている第１から８の形態に記載の単相誘導電動機を特徴とする。
【００１７】
この一形態によれば、始動コンデンサの静電容量と補助コイルのインダクタンスにより確定される共振周波数を適宜設定することができる。これにより、始動コンデンサの容量で確定される共振周波数に基づいて界磁コイルに尖頭電流を発生させ、瞬時始動トルクを大きくすることができる。
【００１８】
第１０の形態によれば、前記補助コイルに直列接続されたトライアックのゲート信号は
、前記所定の電圧が、前記入力電源電圧のピーク電圧の５分の１以上のときにオンされる、第７の形態に記載の単相誘導電動機を特徴とする。
【００１９】
第１１の形態によれば、前記トライアックは、前記入力電源電圧の絶対値が、前記入力電源電圧のピーク電圧にほぼ等しいときにオフにされる、第２の形態に記載の単相誘導電動機を特徴とする。
【００２０】
第１２の形態によれば、前記トライアックのゲート信号をオンにしてからオフにするまでの期間は、前記補助コイルと前記コンデンサで構成される共振回路の共振周期の半周期よりも短い、第２の形態に記載の単相誘導電動機を特徴とする。
【００２１】
第１３の形態によれば、単相誘導電動機であって，主コイルと、前記主コイルに並列接続された補助コイルと、前記補助コイルに直列接続された第１コンデンサと、前記第１コンデンサに並列接続され、かつ前記補助コイルに直列接続された第２コンデンサと、前記第１コンデンサと前記補助コイルとの間に接続され、前記第１コンデンサから前記補助コイルに供給される電流の制御を行うよう構成された第１ガバナ回路と、を備え、前記第１ガバナ回路は、前記単相誘導電動機の入力電源電圧の半周期未満の間に１回、前記補助コイルを非導通状態から導通状態に遷移させ再び非導通状態に遷移させる動作を繰り返す始動制御を行い、前記補助コイルが導通状態のときに前記第１コンデンサ、から前記補助コイルに電流が流れるよう構成される、単相誘導電動機を特徴とする。
【００２２】
この一形態によれば、始動制御時に、第２コンデンサにより、単相誘導電動機の始動トルクを大きくすることが可能になる。
【００２３】
第１４の形態によれば、第１３の形態に記載の単相誘導電動機であって、前記第１ガバナ回路は、定常制御において、前記第１コンデンサと前記補助コイルとの間を常時導通状態とする、あるいは常時非導通状態とする、単相誘導電動機を特徴とする。
【００２４】
この一形態によれば、定常制御時に、第１ガバナ回路を用いて、補助コイル２に接続される始動コンデンサの数を適宜選択することができる。
【００２５】
第１５の形態によれば、第１３の形態に記載の単相誘導電動機であって、前記第２コンデンサと、前記補助コイルとの間に接続され、前記第２コンデンサから前記補助コイルに供給される電流の制御を行うよう構成された第２ガバナ回路とをさらに備え、前記第２ガバナ回路は、前記単相誘導電動機の入力電源電圧の半周期未満の間に１回、前記補助コイルを非導通状態から導通状態に遷移させ再び非導通状態に遷移させる動作を繰り返す始動制御を行い、前記補助コイルが導通状態のときに前記第２コンデンサから前記補助コイルに電流が流れる、単相誘導電動機を特徴とする。
【００２６】
この一形態によれば、始動制御時に、第１コンデンサから補助コイルへ流れる尖頭電流に加えて、第２コンデンサから補助コイルへ流れる尖頭電流により、始動トルクを得ることができる。
【００２７】
第１６の形態によれば、第１５の形態に記載の単相誘導電動機であって、前記単相誘導電動機の前記入力電源電圧の絶対値が、前記入力電源電圧のピーク電圧の５分の１以上の間に、前記第１ガバナ回路は、前記第１コンデンサと前記補助コイルとの間を非導通状態から導通状態に遷移させ、前記第２ガバナ回路は、前記第２コンデンサと前記補助コイルとの間を非導通状態から導通状態に遷移させる、単相誘導電動機を特徴とする。
【００２８】
この一形態によれば、入力電源エネルギーから十分な始動トルクを得ることができる。
【００２９】
第１７の形態によれば、第１５または第１６に記載の単相誘導電動機であって、前記第１ガバナ回路が、前記第１コンデンサと前記補助コイルとの間を非導通状態から導通状態に遷移させるタイミングと、前記第２ガバナ回路が、前記第２コンデンサと補助コイルとの間を非導通状態から導通状態に遷移させるタイミングとは異なる、単相誘導電動機を特徴とする。
【００３０】
この一形態によれば、入力電源電圧の半周期未満の間に、補助コイル２に流れる尖頭電流が２回以上流れることになる。その結果、単相誘導電動機の最大出力トルクが維持される期間を長くすることができる。
【００３１】
第１８の形態によれば、第１５から第１７のいずれか１形態に記載の単相誘導電動機であって、前記第１コンデンサの容量と、前記第２コンデンサの容量とは任意に選択可能である、単相誘導電動機を特徴とする。
【００３２】
この一形態によれば、入力電源電圧の半周期未満の間に発生する補助コイルに流れる尖頭電流の大きさを変え、それによりロータの回転運動の仕方を適宜調整することができる。
【００３３】
第１９の形態によれば、単相誘導電動機であって，主コイルと、前記主コイルに並列接続された補助コイルと、前記補助コイルに直列接続された第１コンデンサと、前記第１コンデンサと、前記補助コイルの間に接続され、前記第１コンデンサから前記補助コイルに供給される電流の制御を行うように構成された第１ガバナ回路と、を備え、前記第１ガバナ回路は、前記単相誘導電動機の入力電源電圧の半周期未満の間に１回、前記補助コイルを非導通状態から導通状態に遷移させ再び非導通状態に遷移させる動作を繰り返す始動制御を行い、前記補助コイルが導通状態のときに前記第１コンデンサ、から前記補助コイルに電流が流れるよう構成される、単相誘導電動機、単相誘導電動機を特徴とする。
【００３４】
第２０の形態によれば、第１９の形態に記載の単相誘導電動機であって、前記第１ガバナ回路と前記主コイルとの間を接続可能なパスをさらに備え、前記第１ガバナ回路は、定常制御において、前記パスに常時接続され、それにより前記主コイルと、前記主コイルと異なるインピーダンスを有する前記補助コイルとの間を直接導通させる、単相誘導電動機を特徴とする。
【図面の簡単な説明】
【００３５】
【図１】本技術の一実施形態に係る、ガバナ回路を備えるコンデンサ始動型単相誘導電動機のブロック図を示す。
【図２Ａ】本技術の一実施形態に係る、始動制御時の入力電圧の波形、主コイル、補助コイルを流れる電流の波形、及びトライアックのゲート信号を示す。
【図２Ｂ】本技術の一実施形態に係る、定常制御時の主コイル、補助コイルを流れる電流の波形、及びトライアックのゲート信号の一例を示す。
【図２Ｃ】本技術の一実施形態に係る、定常制御時の主コイル、補助コイルを流れる電流の波形、及びトライアックのゲート信号の一例を示す。
【図３】本技術の第一実施形態に係る制御回路の回路図を示す。
【図４】図３に示す制御回路を用いた場合の、主コイル電圧の波形と、トライアックのゲート信号と、補助コイルに流れる電流の波形の一例を示す。
【図５】本技術の第二実施形態に係る制御回路の回路図を示す。
【図６】図５に示す制御回路を用いた場合の、主コイル電圧の波形と、トライアックのゲート信号と、補助コイルに流れる電流の波形の一例を示す。
【図７】本技術の一実施形態に係る、ガバナ回路等の動作フローチャートを示す。
【図８】図７に示す動作を行った場合に得られる各種信号の波形を示す。
【図９Ａ】本技術の第三実施形態に係る、始動制御時における単相誘導電動機のブロック図である。
【図９Ｂ】本技術の第三実施形態に係る、始動制御時における単相誘導電動機の各種信号波形を示す図である。
【図９Ｃ】本技術の第三実施形態に係る、定常制御時における単相誘導電動機の各種信号波形を示す図である。
【図１０Ａ】本技術の第四実施形態に係る、始動制御時における単相誘導電動機のブロック図である。
【図１０Ｂ】本技術の第四実施形態に係る、始動制御時における単相誘導電動機の各種信号波形を示す図である。
【図１０Ｃ】本技術の第四実施形態に係る、定常制御時における単相誘導電動機の各種信号波形を示す図である。
【図１１Ａ】本技術の第五実施形態に係る、始動制御時における単相誘導電動機のブロック図である。
【図１１Ｂ】本技術の第五実施形態に係る、定常制御時における単相誘導電動機のブロック図である。
【図１１Ｃ】本技術の第五実施形態に係る、定常制御時における単相誘導電動機の各種信号波形を示す図である。
【図１１Ｄ】本技術の第五実施形態に係る、始動制御時における単相誘導電動機のブロック図である。
【発明を実施するための形態】
【００３６】
以下、本技術の一実施形態に係るコンデンサ始動型の単相誘導電動機、及びその動作を図面に基づいて説明する。添付図面において、同一または類似の要素には同一または類似の参照符号が付され、各実施形態の説明において同一または類似の要素に関する重複する説明は省略することがある。また、各実施形態で示される特徴は、互いに矛盾しない限り他の実施形態にも適用可能である。
【００３７】
図１は、本技術の一実施形態に係るコンデンサ始動型単相誘導電動機１０のブロック図を示す。図１に示すように、コンデンサ始動型単相誘導電動機１０は、主コイル１と、補助コイル２と、該補助コイル２と直列に挿入された始動コンデンサ３及びトライアック４を備える。コンデンサ始動型単相誘導電動機１０は、さらに制御回路５を備えている。該制御回路５は、交流の入力電源Ｆと、トライアック４の双方に接続されている。なお、本明細書において、トライアック４および制御回路５で構成される回路をガバナ回路６と称する。制御回路５（あるいはガバナ回路６）は、単相誘導電動機１０の電源投入後、始動コンデンサ３から補助コイル２に供給される電流の制御を行い、これにより単相誘導電動機１０の出力トルクを調節する。制御回路５（あるいはガバナ回路６）は、単相誘導電動機１０のロータ（回転子）の回転数を監視している。単相誘導電動機１０に電源が投入されてからロータの回転が所定の回転速度に達するまでの期間、ガバナ回路は補助コイル２の非導通状態／導通状態を遷移させる動作を繰り返す始動制御を行う。
＜始動制御＞
図２Ａは、本技術の一実施形態による始動制御時の各種信号波形を示す。横軸を時間（ｔ）として、最上段に、入力電源Ｆの電圧Ｖの波形を示し、上から第２段目に、当該入力電源電圧波形に対応する、始動制御時の主コイル１を流れる電流Ｉｍの波形を示す。また、図２Ａは、第３段目に、始動制御時の補助コイル２を流れる電流Ｉａの波形を示し、最下段に始動制御時のトライアック４のゲート信号Ｉｒ波形を示す。横軸の時間（ｔ）のスケールは各段同じである。補助コイル２に流れる電流Ｉａの位相は、主コイル１に流れる電流Ｉｍの位相に対し約４分の１周期（９０°）進んでいる。
【００３８】
図２Ａに示すように、補助コイル２に流れる電流Ｉａは、周期的なピークがシャープな形状の波形を有する。図２Ａにおいて補助コイル２に流れる電流Ｉａの絶対値のピークは、入力電源電圧Ｖの半周期の間に1回現れている。補助コイル電流Ｉａは電源周波数と同じ基本波周波数を持つ。補助コイル２の電流Ｉａが流れる期間は、入力電源電圧Ｖの半周期未満である。補助コイル２の電流Ｉａが流れる期間は、例えば、図２Ａにおいては電源電圧Ｖの半周期の約４分の３の期間である。さらに、補助コイル２に流れるピーク電流の絶対値は、主コイル１のピーク電流の絶対値よりもはるかに大きい（例えば、図２Ａでは約３倍）。図２Ａでは、補助コイル２に流れる電流Ｉａの絶対値は、流れ始めると急増して、主コイル１の電流Ｉｍの大きさが大凡ゼロの時点でピークに至り、その後急減して収束する。
【００３９】
制御回路５（あるいはガバナ回路６）は、始動制御時に補助コイル２へ尖頭電流を供給するため、始動制御時ではトライアック４のオン（ＯＮ）／オフ（ＯＦＦ）を行うタイミングを適宜制御する。制御回路５は、入力電源Ｆの入力電源電圧Ｖを監視しており、入力電源電圧Ｖ（あるいは主コイル１の電圧Ｖｍ）の絶対値が所定の第１電圧ｖｆ１以上になると、トライアック４のゲート信号をオンにする。前記所定の第１電圧ｖｆ１は、電源電圧Ｖに対してある程度の大きさ、例えば、電源電圧Ｖの絶対値のピークの約５分の１以上が好ましい。入力電源エネルギーを始動トルクとして使うことができるためである。例えば、図２Ａでは、トライアック４のゲート信号Ｉｒは、入力電源電圧Ｖの絶対値が、ほぼ最大の１／２のときにオンにされている。
【００４０】
ゲートオン信号によってトライアック４がオンにされると入力電源Ｆと補助コイル２との間が非導通から導通に遷移する。トライアック４がオンになった直後に、始動コンデンサ３と、補助コイル２により生じる共振状態により、始動コンデンサ３から補助コイル２へ電流が流れる。該電流の基本波成分は主コイル電流ｌｍに対して、適切な位相差を持ち、且つ大きな振幅で供給されるため，単相誘導電動機１０は大きな始動トルクを得る。
【００４１】
その後、次のタイミングでの尖頭電流の供給に備えるためトライアック４のゲート信号をオフにする。トライアック４のゲート信号をオンにしてからオフにするまでの期間は、共振電流を半周期で停止させるため、補助コイル２と始動コンデンサ３で構成される共振回路の共振周期の半周期より短く設定してもよい。
【００４２】
そして、トライアック４を流れる電流が略ゼロとなった時点で，トライアック４のゲートは完全にオフされ、次にトライアック４がオンにされるまでの期間、始動コンデンサ３は充電された状態を保っている。なお、トライアック４は、入力電源電圧Ｖの絶対値が大きい（例えば、電源電圧Ｖのピーク電圧にほぼ等しい）ときにオフにするのが好ましい。始動コンデンサ３に充電するエネルギーを大きくすることができるからである。
【００４３】
このように本実施形態では、トライアック４のオン、オフの切替えタイミングを周期的に制御することにより、始動コンデンサ３の容量と、補助コイル２のインピーダンスで共振状態を作り出し、始動時の励磁電流を増加させて単相誘導電動機の始動トルクを得る。トライアック４がオンにされてからオフに移行されるまでの期間を短くすることで、すなわちトライアック４がオフにされてから次にトライアック４がオンにされるまでの期間を長くすることで、始動コンデンサ３を十分に充電して、大きな始動トルクを得ることができる。
【００４４】
本実施形態では、さらに、始動コンデンサ３の静電容量と補助コイル２のインダクタンスにより定められる共振周波数を適宜設定することにより、界磁コイルに尖頭電流を発生させ、瞬時始動トルクを大きくすることができる。例えば、単相誘導電動機１０のロータが停止しているときの補助コイル２と、始動コンデンサ３とで構成される共振回路の共振
周波数が入力電源Ｆの周波数の２倍以上になるように始動コンデンサ３の静電容量を設定する。
【００４５】
本実施形態では、さらにガバナ回路６に補助コイル２を非導通状態から導通状態に遷移させ再び非導通状態に遷移させる動作を行う周期を適宜選択することができる。例えば、ガバナ回路６は、当該遷移動作を、単相誘導電動機１０の入力電源電圧Ｖの半周期の間に1回繰り返すよう選択してもよいし、入力電源電圧Ｖの１周期の間に、入力電源電圧Ｖが正及び負のときに各１回であわせて２回繰り返すよう選択してもよい。あるいはまた、当該遷移動作を、入力電源電圧Ｖの１周期の間に、該電圧が正又は負のときに１回、すなわち１周期の間に１回、あるいはまた所定数周期（例えば２周期）の間に１回繰り返すよう選択してもよい。遷移動作が生ずる周期を長くすることで、始動コンデンサ３はより多くの電荷を蓄えることができる。
【００４６】
本技術によると、始動コンデンサ３の容量を大きくすることなく、あるいは始動コンデンサ３を複数用いることなく、経済的にモータ始動時のトルクを増大することができる。
始動トルクにより単相誘導電動機１０のロータが回転を始め、その回転数がある程度に達すると、単相誘導電動機１０の回転数は定格回転数に到達する。制御回路５（あるいはガバナ回路６）は、定格回転数に到達後にトライアックのゲート信号Ｉｒを常時オン又は常時オフに制御する定常制御を行う。
＜定常制御＞
図２Ｂ及び図２Ｃはともに、定常制御時の単相誘導電動機１０の主コイル１を流れる電流Ｉｍの波形（図上段）と、補助コイル２を流れる電流Ｉａの波形（図中段）と、トライアック４のゲート信号Ｉｒ波形（図下段）を示す。
【００４７】
図２Ｂでは、定常制御時でトライアック４のゲート信号Ｉｒは常時オンである。従って、定常制御時に補助コイル２は単相誘導電動機１０の回路から切り離されることはない。単相誘導電動機１０は補助コイル２の電流Ｉａと主コイル１の電流Ｉｍにより駆動される。本技術では、始動コンデンサ３の容量を増やすことなく始動トルクを得ているので、コンデンサ始動型単相誘導電動機１０であっても、定常制御時のモータの駆動効率は大きく低下しない。
【００４８】
図２Ｃでは、定常制御時でトライアック４のゲート信号Ｉｒは常時オフである。従って、定常制御時に補助コイル２は誘導電動機１０の回路から切り離されて、誘導電動機１０は主コイル１に流れる電流Ｉｍによる単相駆動となる。本実施形態においては、モータが定格回転数に到達しても、始動コンデンサ３は非導通状態にあるため、始動コンデンサ３が容量性の損失部材として働くことはなく、始動コンデンサ３によるモータの駆動効率の低下は生じない。
＜制御回路＞
次に、図１に示した制御回路５について図３から図６を用いて詳細に説明する。
【００４９】
図３は、本技術の第一実施形態に係る制御回路５の回路図を示す。制御回路５は、制御電源３１と、入力電源電圧Ｖを監視する電圧監視回路３２と、補助コイル２の電流Ｉａを監視する電流監視回路３３と、ＣＰＵ（central processing unit）３４と、ダイオード３５を含む。制御回路５は入力側が電源Ｆに接続され、出力側が補助コイル２、及びトライアック４に接続されている。
【００５０】
制御電源３１は、入力電源Ｆに接続されており、制御回路５を駆動する電力を提供する。ＣＰＵ３４は、電圧監視回路３２及び電流監視回路３３からの信号に基づいて、トライアック４のゲート信号Ｉｒを生成する。
【００５１】
電圧監視回路３２は、始動制御時に、主コイル１の電圧Ｖｍの絶対値が所定の第１電圧ｖｆ１を超えたか否かを判定する。所定の第１電圧ｖｆ１を超えた場合に、ＣＰＵ３４は、電圧監視回路３２からの信号に基づいてトライアック４のゲートオン信号を生成する。トライアック４がオンにされると、始動コンデンサ３は放電し、補助コイル２に励磁電流が流れる。これにより、電動機１０は始動トルクを得ることができる。
【００５２】
また、電圧監視回路３２は、始動制御時に、主コイル１の電圧Ｖｍの絶対値が所定の第２電圧ｖｆ２を超えたか否かを判定する。所定の第２電圧ｖｆ２を超えた場合に、ＣＰＵ３４は、電圧監視回路３２からの信号に基づいてトライアック４のゲートオフ信号を生成する。
【００５３】
電流監視回路３３は、始動制御時に、補助コイル２への電流Ｉａが略ゼロであるか否かを判定する。補助コイル２への電流Ｉａが略ゼロである場合に、ＣＰＵ３４はトライアック４のゲートをオフする。トライアック４がオフされると、補助コイル２は非導通状態に遷移し、始動コンデンサ３は充電される。
【００５４】
図４は、図３に示す制御回路５を用いた場合の各種の信号波形を示す。図４は、主コイル１の電圧Ｖｍ波形（図４上段）と、トライアック４のゲート信号Ｉｒ波形（図４中段）と、補助コイル２の電流Ｉａの波形（図４下段）をそれぞれ示す。図３に関して述べたように、トライアック４は、主コイル１電圧Ｖｍの絶対値が所定の第１電圧ｖｆ１を超えた場合にオンに制御される。その後、主コイル１電圧Ｖｍの絶対値が所定の第２電圧ｖｆ２を超えた場合に、トライアック４のゲート信号Ｉｒがオフにされる。第２電圧ｖｆ２は、好ましくは、主コイル１電圧Ｖｍの絶対値の大きい値（例えば、図４に示すように電源電圧Ｖｍのピーク電圧にほぼ等しい値）に設定される。始動コンデンサ３に充電するエネルギーを大きくすることができるからである。トライアック４へのゲート信号Ｉｒがオフにされた後、補助コイル２への電流Ｉａが略ゼロの時点で、トライアック４はオフに制御される 
【００５５】
図５は、本技術の第二実施形態に係る制御回路５の回路図を示す。制御回路５は、制御電源３１と、入力電源Ｆの電圧を監視する電圧監視回路３２と、ＣＰＵ３４と、ダイオード３５を含む。ＣＰＵ３４はタイマー回路３６を含む。制御回路５は入力側が電源Ｆに接続され、出力側がトライアック４に接続されている。ＣＰＵ３４は、電圧監視回路３２からの信号、及びタイマー回路３６からの信号に基づいて、トライアック４のゲート信号Ｉｒを生成する。
【００５６】
電圧監視回路３２は、始動制御時に、主コイル１の電圧Ｖｍの絶対値が所定の第１電圧ｖｆ１を超えたか否かを判定する。所定の第１電圧ｖｆ１を超えた場合に、ＣＰＵ３４はトライアックのゲートオン信号を生成する。
【００５７】
タイマー回路３６は、トライアック４のゲート信号Ｉｒがオンにされてからオフにするまでの時間を設定する。ＣＰＵ３４は、トライアック４のゲート信号がオンにされてから第１所定期間経過後に、トライアック４のゲートオフ信号を生成する。そして、補助コイル２への電流Ｉａが略ゼロの時点で、トライアック４はオフに制御される。
【００５８】
図６は、図５に示す制御回路５を用いた場合の一実施形態による各種信号波形を示す。図６は、主コイル１の電圧Ｖｍ波形（図６上段）と、トライアック４のゲート信号Ｉｒ（図６中段）と、補助コイル２の電流Ｉａ波形（図６下段）をそれぞれ示す。図５に関して述べたように、トライアック４は、電圧Ｖｍが所定の第１電圧ｖｆ１を超えた場合にオンに制御され、オンにされてから第１所定期間経過後に、トライアックへのゲート信号Ｉｒがオフに制御される。補助コイル電流Ｉａが略ゼロになるとトライアック４はオフに制御
される。
【００５９】
図７は、図３に示す制御回路５を用いた場合の、本技術の一実施形態に係るガバナ回路６等の動作フローチャートを示す。
まず、制御電源３１が投入され、制御回路５を起動する。そして、主コイル１が通電する。（ステップ７０１）。
【００６０】
制御回路５が起動されると、タイマー回路３６は、カウントを開始する（ステップ７０２）。本実施形態においては、タイマー回路３６は、始動制御時に補助コイル２に電流を流すガバナ回路６をオンにしてからオフにするまでの第２所定期間を設定する。第２所定期間は、モータの回転数が定格に達するまでの期間に基づいて、例えば、定格回転数に達するまでの期間よりも長く設定される。
【００６１】
次に、タイマー回路３６は、第２所定期間が経過したかを判定する（ステップ７０３）。ステップ７０３にて、第２所定期間経過していないと判定された場合には、ステップ７０４から７１０による始動制御を行う。
【００６２】
電圧監視回路３２は、主コイル１の電圧Ｖｍの絶対値が所定の第１電圧ｖｆ１を超えたかを判定する（ステップ７０４）。ステップ７０４において、主コイル１の電圧Ｖｍの絶対値が所定の第１電圧ｖｆ１を超えたと判定された場合に、ＣＰＵ３４は、トライアック４のゲート信号をオンにする（ステップ７０５）。トライアック４がオンにされると、補助コイル２が通電される（ステップ７０６）。補助コイル２が通電されると、始動コンデンサ３と、補助コイル２により共振状態が生じ、始動コンデンサ３から補助コイル２へ電流が流れる。
【００６３】
次に、電圧監視回路３２は、主コイル１の電圧Ｖｍの絶対値が所定の第２電圧ｖｆ２を超えたか否かを判定する。また、電流監視回路３３は、補助コイル２の通電電流Ｉａがゼロを通過したか否か（あるいは略ゼロであるか否か）を判定する（ステップ７０７）。
【００６４】
補助コイル電流Ｉａがゼロを通過した場合、ＣＰＵ３４はトライアック４のゲートをオフにする（ステップ７０８）。一方、主コイル１の電圧Ｖｍの絶対値が所定の第２電圧ｖｆ２を超えた場合に、ＣＰＵ３４はトライアック４のゲート信号Ｉｒをオフにする（ステップ７０９）。また、補助コイル電流Ｉａがゼロを通過していない場合や、主コイル１の電圧Ｖｍの絶対値が所定の第２電圧ｖｆ２を超えていない場合には、ステップ７０７へ戻る。
【００６５】
そして、トライアック４のゲート信号がオフにされ、かつトライアック４のゲートがオフされた場合に、ガバナ回路６は補助コイル２への通電をオフにする（ステップ７１０）。
【００６６】
ステップ７０３にて、タイマー回路３６により第２所定期間経過したと判定された場合には、ステップ７１０へ進む。第２所定期間内に、モータは定格回転数に到達する。第２所定期間経過後、ステップ７１１から７１２ではモータの定常制御を行う。
【００６７】
ＣＰＵ３４はトライアック４のゲート信号を常時オンにする（ステップ７１１）。トライアック４がオンにされると、補助コイル２は常時通電され、主コイル１及び補助コイル２を流れる電流によりモータを駆動する（ステップ７１２）。そして、モータは定格回転数を維持する。
【００６８】
なお、他の実施形態においては、定常制御時にトライアック４のゲート信号を常時オフ
にしてもよい。この場合、補助コイル２は常時通電オフとなり、モータは主コイル１に流れる電流Ｉｍによる単独駆動となる。
【００６９】
図８は、図７に示す動作を行った場合の、一実施形態による各種信号の波形を示す。図８は、主コイル１の電圧Ｖｍ波形（図８最上段）と、トライアック４のゲート信号Ｉｒ（図８第２段）と、補助コイル２の電流Ｉａ波形（図８第３段）をそれぞれ示す。さらに図８は、制御電源３１の電圧波形（図８第４段）、ガバナ回路６のオン、オフ（図８第５段）、モータの回転数（図８最下段）をそれぞれ示す。ガバナ回路６がオンしている第２所定期間内に、始動制御を行う。始動制御においては、トライアック４のゲート信号Ｉｒは、主コイル１の電圧Ｖｍの大きさに応じてオン、オフを繰り返す。モータの回転数が定格に達し、第２所定期間経過後に、定常制御に移行する。定常制御においては、ガバナ回路６は常時オフにされ、トライアックのゲート信号は常時オンとなる。
【００７０】
図９Ａから図９Ｃは本技術の第三実施形態に係る、単相誘導電動機１０のブロック図（図９Ａ）、および図９Ａに示す単相誘導電動機１０における各種信号波形を示す図（図９Ｂおよび図９Ｃ）である。本実施形態に係る単相誘導電動機１０は、第１の始動コンデンサ３に加えて、該第１の始動コンデンサ３に並列接続され、かつ補助コイル２に直列接続された１以上の始動コンデンサ（例えば、第２の始動コンデンサ７）を備える点で、図１に示す単相誘導電動機１０と異なる。
【００７１】
図９Ａに示す単相誘導電動機１０は、入力電源Ｆと、主コイル１と、補助コイル２と、第１の始動コンデンサ３と、第２の始動コンデンサ７と、第１ガバナ回路６と、ロータ８とを備える。主コイル１は入力電源Ｆに接続され、補助コイル２は主コイル１に並列に接続されている。第１の始動コンデンサ３は、補助コイル２に直列接続されている。第２の始動コンデンサ７は、第１の始動コンデンサ３と並列接続され、かつ補助コイル２に直列接続されている。第１ガバナ回路６は、第１の始動コンデンサ３と補助コイル２との間に接続されている。第１ガバナ回路６は、トライアック４（図１参照）のオン／オフを行うタイミングを適宜制御し、あたかも第１の始動コンデンサ３と補助コイル２の間の導通／非導通を切り替えるスイッチのように動作する。従って、第１ガバナ回路６は、図１に示すガバナ回路６と同一の構成を有するが、図９Ａでは、スイッチとして示される。
【００７２】
＜始動制御＞
第１ガバナ回路６は、始動制御時において、単相誘導電動機１０の入力電源電圧Ｖの半周期未満の間に１回、第１の始動コンデンサ３と補助コイル２との間を非導通状態から導通状態に遷移させ再び非導通状態に遷移させる動作を周期的に繰り返す。そして、第１ガバナ回路６が、第１の始動コンデンサ３と補助コイル２との間を導通状態に遷移させたときに第１の始動コンデンサ３から補助コイル２に尖頭電流が流れるよう構成される。なお、第１ガバナ回路６は、図１に示すガバナ回路６と同様の動作をするため、ここでは詳細な動作説明は省略する。
【００７３】
図９Ｂは、横軸を時間（ｔ）として、上段に始動制御時における単相誘導電動機１０の主コイル１に流れる電流Ｉｍの波形と、補助コイル２に流れる電流Ｉａの波形とを示し、下段に入力電源Ｆ（あるいは主コイル１の電圧Ｖｍ）の電圧Ｖの波形を示す。補助コイル２を流れる電流Ｉａは、ピークがシャープな形状の、周期的な波形を有する。図９Ｂに示す補助コイル２の電流Ｉａは、第１の始動コンデンサ３から補助コイル２へ流れる電流に、第２の始動コンデンサ７を流れる電流が加わっている。従って、本実施形態によると、図９Ｂに示すように、第２の始動コンデンサ７を流れる電流分だけ、図１に示す補助コイル２に流れる電流Ｉａよりも、電流Ｉａが大きくなる。従って、図１に示す単相誘導電動機１０を用いたときに得られる始動トルクよりも、より大きな始動トルクを得ることができる。なお、入力電源Ｆのエネルギー（電源電力）に基づいて十分な始動トルクを得るた
めに、入力電源Ｆの電圧Ｖ（主コイル１の電圧Ｖｍ）の絶対値が、所定の第１電圧ｖｆ１以上（例えば、電源電圧Ｖの絶対値のピーク電圧の約５分の１以上）のときに、補助コイル２を非導通状態から導通状態へ遷移させることが好ましい。
【００７４】
＜定常制御＞
図９Ｃは、横軸を時間（ｔ）として、定常制御時における図９Ａに示す単相誘導電動機１０の主コイル１に流れる電流Ｉｍの波形と、補助コイル２に流れる電流Ｉａの波形とを示す。第１の始動コンデンサ３と補助コイル２との間が常時導通状態である場合（すなわち、第１ガバナ回路６のトライアック４のゲート信号Ｉｒ（図１参照）が常時オンの場合）、図９Ｃに示すように、主コイル１には電流Ｉｍが、補助コイルＩａには電流Ｉａが流れる。電流Ｉａは、第１の始動コンデンサ３により、電流Ｉｍに対し約４分の１周期位相が進んでいる。単相誘導電動機１０は、主コイル１の電流Ｉｍと、補助コイル２の電流Ｉａとにより駆動される。このとき、補助コイル２の電流Ｉａは、第１の始動コンデンサ３と、第２の始動コンデンサ７とを流れる電流の合計となる。一方、第１の始動コンデンサ３と補助コイル２との間が常時非導通状態である場合、単相誘導電動機１０は、第２の始動コンデンサ７を流れる電流のみからなる補助コイル２の電流Ｉａと、主コイル１の電流Ｉｍとにより駆動される。
【００７５】
本実施形態においては、定常制御時に、第１ガバナ回路６を用いて、第１の始動コンデンサ３と補助コイル２との間の導通状態（常時導通状態、常時非導通状態）を、適宜選択することができる。すなわち、定常制御時において、補助コイル２に接続される始動コンデンサの数（コンデンサ容量）を適宜選択することができる。
【００７６】
図１０Ａから図１０Ｃは本技術の第四実施形態に係る、単相誘導電動機１０のブロック図（図１０Ａ）および、図１０Ａに示す単相誘導電動機１０における各種信号波形を示す図（図１０Ｂおよび図１０Ｃ）である。本実施形態に係る単相誘導電動機１０は、第１ガバナ回路６に加え、さらに１以上のガバナ回路（例えば、図１０Ａの第２ガバナ回路９）を備える点で、図９Ａに示す単相誘導電動機１０と異なる。該１以上のガバナ回路のそれぞれは、第１の始動コンデンサ３に並列接続された１つの始動コンデンサと、補助コイル２との間に接続される。図１０Ａに示す単相誘導電動機１０と同等の構成については説明を省略する。
【００７７】
＜始動制御＞
図１０Ａは始動制御時における単相誘導電動機１０のブロック図の一例である。図１０Ａに示す単相誘導電動機１０は、第２ガバナ回路９を備える。第２ガバナ回路９は、第１の始動コンデンサ３に並列接続された第２の始動コンデンサ７と、補助コイル２との間に接続されている。第２ガバナ回路９は、第２の始動コンデンサ７から補助コイル２に供給される電流の制御を行うよう構成される。第２ガバナ回路９は、図９Ａに示す第１ガバナ回路６と同様に、始動制御時において、単相誘導電動機１０の入力電源電圧Ｖの半周期未満の間に１回、第２の始動コンデンサ７と補助コイル２との間を非導通状態から導通状態に遷移させ再び非導通状態に遷移させる動作を周期的に繰り返す。本実施形態では、一例として、第１ガバナ回路６と第２ガバナ回路９のオン／オフのタイミングが異なるように制御する。
【００７８】
図１０Ｂは、横軸を時間（ｔ）として、上段に始動制御時における単相誘導電動機１０の主コイル１に流れる電流Ｉｍの波形と、補助コイル２に流れる電流Ｉａの波形とを示し、下段に入力電源Ｆの電圧Ｖの波形を示す。横軸の時間（ｔ）のスケールは各段同じである。図１０Ｂでは、入力電源電圧Ｖの半周期未満の間に、補助コイル２の電流Ｉａに２回のピークが断続的に生じている。電流Ｉａの１つのピークは、第１ガバナ回路６が、第１の始動コンデンサ３と補助コイル２の間を非導通状態から導通状態へ遷移させるタイミン
グで生じ、他の１つのピークは、第２ガバナ回路９が第２の始動コンデンサ７と補助コイル２の間を非導通状態から導通状態へ遷移させるタイミングで生じる。
【００７９】
本実施形態においては、第１ガバナ回路６と、第２ガバナ回路９とを用いて、入力電源電圧Ｖの半周期未満の間に、第１の始動コンデンサ３と補助コイル２との間を非導通状態から導通状態へ遷移させるタイミングを、第２の始動コンデンサ７と補助コイル２との間を非導通状態から導通状態へ遷移させるタイミングと異ならせる。これにより、入力電源電圧Ｖの半周期未満の間に２つの電流Ｉａのピークを生じさせることができ、単相誘導電動機１０の単位時間当たりの最大トルク維持時間を長くすることができる。その結果、単位時間当たりの単相誘導電動機１０の始動トルク量を増大することができる。なお、各始動コンデンサと補助コイル２との間を非導通状態から導通状態へ遷移させるタイミングを同じにしてもよい。この場合、入力電源電圧Ｖの半周期未満の間に、電流Ｉａに１回のピークが生じる。そして、電流Ｉａのピークの大きさは、２つの始動コンデンサの各々から補助コイル２へ流れる電流を合計した値となる。
【００８０】
このように、本実施形態においては、入力電源電圧Ｖの半周期未満の間に、各始動コンデンサと補助コイル２との間を非導通状態から導通状態へ遷移させるタイミングを適宜選択することができる。複数のガバナ回路をそれぞれ非導通状態から導通状態へ遷移させるタイミングを適宜選択することで、入力電源電圧Ｖの半周期未満の間に生じるピークの間隔、ピークの数、ピークの大きさを調整することができ、その結果、ロータ８の回転運動の仕方を適宜調整することができる。
【００８１】
なお、入力電源Ｆの電圧Ｖの絶対値が、所定の第１電圧ｖｆ１以上、例えば、電源電圧Ｖの絶対値のピーク電圧の約５分の１以上の間に、第１ガバナ回路６は、第１の始動コンデンサ３と補助コイル２との間を非導通状態から導通状態に遷移させ、第２ガバナ回路９は、第２の始動コンデンサ７と補助コイル２との間を非導通状態から導通状態に遷移させることが好ましい。
【００８２】
また、第１の始動コンデンサ３の容量と、第２の始動コンデンサ７の容量とは任意に選択可能である。第１の始動コンデンサ３の容量と、第２の始動コンデンサ７の容量とを適宜選択することで、入力電源電圧Ｖの半周期未満の間に生じる補助コイル２の電流Ｉａのピークの大きさを調整することができ、その結果、ロータ８の回転運動の仕方を調整することができる。
【００８３】
＜定常制御＞
図１０Ｃは、横軸を時間（ｔ）として、定常制御時における図１０Ａに示す単相誘導電動機１０の主コイル１に流れる電流Ｉｍの波形と、補助コイル２に流れる電流Ｉａの波形とを示す図である。例えば、第１の始動コンデンサ３と補助コイル２との間が常時導通状態（すなわち、第１ガバナ回路６のトライアック４のゲート信号Ｉｒ（図１参照）が常時オン）であり、第２の始動コンデンサ７と補助コイル２との間が常時非導通状態（すなわち、第２ガバナ回路９のトライアックのゲート信号が常時オフ）あるいは常時導通状態（すなわち、第２ガバナ回路９のトライアックのゲート信号が常時オン）である場合には、図１０Ｃに示すように、主コイル１には電流Ｉｍが流れ、補助コイルＩａには、電流Ｉｍに対し約４分の１周期位相の進んだ電流Ｉａが流れる。なお、第２の始動コンデンサ７と補助コイル２との間が常時非導通状態のとき、補助コイル２の電流Ｉａは、第１の始動コンデンサ３のみを流れる電流となる。そして、単相誘導電動機１０は、定常制御時に補助コイル２の電流Ｉａと主コイル１の電流Ｉｍとにより駆動される。
【００８４】
一方、例えば、第１の始動コンデンサ３と補助コイル２との間が常時非導通状態であり、第２の始動コンデンサ９と補助コイル２との間が常時非導通状態である場合、第１の始
動コンデンサ３と、第２の始動コンデンサ７とは共に単相誘導電動機１０の回路から切り離される。従って、単相誘導電動機１０は、主コイル１の電流Ｉｍによる単相駆動となる。
【００８５】
本実施形態においては、定常制御時において、第１ガバナ回路６を用いて第１の始動コンデンサ３と補助コイル２との間の導通状態（常時導通状態、常時非導通状態）を適宜選択し、また、第２ガバナ回路９を用いて第２の始動コンデンサ７と補助コイル２との間の導通状態（常時導通状態、常時非導通状態）を適宜選択することができる。これにより、定常制御時において、補助コイル２に接続される始動コンデンサの数（コンデンサ容量）を適宜選択することができる。
【００８６】
図１１Ａ〜図１１Ｃは本技術の第五実施形態に係る、単相誘導電動機１０のブロック図（図１１Ａおよび図１１Ｂ）および、該単相誘導電動機１０における各種信号波形を示す図（図１１Ｃ）である。図１１Ａ及び図１１Ｂに示すように、本実施形態に係る単相誘導電動機１０は、主コイル１と補助コイル２との間を、第１の始動コンデンサ３を介さずに直接接続可能なパス１１を備える点で、図１に示す単相誘導電動機１０と異なる。パス１１は、第１ガバナ回路６と、主コイル１との間を直接接続可能に構成される。また、第１ガバナ回路６は、第１の始動コンデンサ３と補助コイル２との間、あるいはパス１１と補助コイル２との間を切り替え可能に構成される。すなわち第１ガバナ回路６は、一端を補助コイル２に接続され、他端は、パス１１、あるいは第１の始動コンデンサ３に接続可能である。従って、第１ガバナ回路６は、第１の始動コンデンサ３と補助コイル２との間の導通／非導通の切り替えに加えて、第１の始動コンデンサ３を介さずに主コイル１と補助コイル２とを直接導通させるかを切り替えるように構成される。
【００８７】
＜始動制御＞
図１１Ａは始動制御時における単相誘導電動機１０のブロック図である。始動制御時においては、第１ガバナ回路６は、パス１１に接続されない。第１ガバナ回路６は、単相誘導電動機１０の入力電源電圧Ｖの半周期未満の間に１回、第１の始動コンデンサ３と補助コイル２との間を非導通状態から導通状態に遷移させ再び非導通状態に遷移させる動作を周期的に繰り返す。そして、第１ガバナ回路６が、第１の始動コンデンサ３と補助コイル２との間を導通状態に遷移させたときに第１の始動コンデンサ３から補助コイル２に尖頭電流が流れるよう構成される。すなわち、始動制御時において、本実施形態にかかる第１ガバナ回路６は、図１に示すガバナ回路６と同様の動作をする。従って、始動制御時における、補助コイル２を流れる電流Ｉａの波形は、図２Ａに示す補助コイル２電流Ｉａの波形と同じである。
【００８８】
＜定常制御＞
図１１Ｂは本実施形態に係る定常制御時における単相誘導電動機１０のブロック図であり、図１１Ｃは、定常制御時における単相誘導電動機１０における各種信号波形を示す図である。定常制御時において、第１ガバナ回路６は、パス１１に常時接続され、第１の始動コンデンサ３を単相誘導電動機１０の回路から切り離し、補助コイル２のみを主コイル１と並列接続する。この場合、第１の始動コンデンサ３は補助コイル２に接続されていないので、主コイル１のインピーダンスと、補助コイル２のインピーダンスが同じであれば、補助コイル２の電流Ｉａと、主コイル１の電流Ｉｍとは同相となる。本実施形態においては、主コイルに流れる電流Ｉｍと補助コイル２に流れる電流Ｉａとの間に位相差を設けるために、主コイル１のインピーダンスと、補助コイル２のインピーダンスに差を設ける。電流の位相は、コイルのインピーダンスに応じて決定されるため、主コイル１のインピーダンスと、補助コイル２のインピーダンスに差を設ける（例えば、主コイル１の巻き数を補助コイル２の巻き数よりも大きくし、主コイル１のインピーダンスを補助コイル２のインピーダンスよりも大きくする）ことで、主コイルに流れる電流Ｉｍと補助コイル２に
流れる電流Ｉａとの間に位相差を生じさせることができる。そして、単相誘導電動機１０は、図１１Ｃに示される位相差のある補助コイル２の電流Ｉａと主コイル１の電流Ｉｍにより駆動される。本実施形態においては、始動コンデンサを利用せずに、コイルのもつインピーダンスの差を利用して、補助コイル２の電流Ｉａと主コイル１の電流Ｉｍに位相差を設けて、回転磁界をつくり、単相誘導電動機１０を駆動することができる。
【００８９】
なお、図１１Ａ、Ｂは第１ガバナ回路６を略式的に描いたものである。第１ガバナ回路６はより詳細には図１１Ｄに示されるように構成される。２つのトライアック４（第１トライアック４ａ及び第２トライアック４ｂ）は、主コイル１と並列に、補助コイル２に直列にそれぞれ接続される。第１トライアック４ａは、第１の始動コンデンサ３と補助コイル２の間に接続され、第２トライアック４ｂは、パス１１と補助コイル２の間に接続される。制御回路５は、第１トライアック４ａ、および第２トライアック４ｂのオン／オフを行うタイミングをそれぞれ適宜制御する。始動制御時において制御回路５は、第１の始動コンデンサ３から補助コイル２に尖頭電流が流れるように第１トライアック４ａのオン／オフを制御すると共に、第２トライアック４ｂを常時オフに制御する。また、定常性制御時において、制御回路５は、第１トライアック４ａを常時オフに制御すると共に、第２トライアック４ｂを常時オンに制御する。
【符号の説明】
【００９０】
１…主コイル、２…補助コイル、３…（第１の）始動コンデンサ、４…トライアック、５…制御回路、６…（第１）ガバナ回路、７…第２の始動コンデンサ、８…ロータ、９…第２ガバナ回路、１０…コンデンサ始動型単相誘導電動機、３１…制御電源、３２…電圧監視回路、３３…電流監視回路、３５…ダイオード、３６…タイマー回路
【図１】
2017229225.tif 000003
【図２Ａ】
2017229225.tif 000004
【図２Ｂ】
2017229225.tif 000005
【図２Ｃ】
2017229225.tif 000006
【図３】
2017229225.tif 000007
【図４】
2017229225.tif 000008
【図５】
2017229225.tif 000009
【図６】
2017229225.tif 000010
【図７】
2017229225.tif 000011
【図８】
2017229225.tif 000012
【図９Ａ】
2017229225.tif 000013
【図９Ｂ】
2017229225.tif 000014
【図９Ｃ】
2017229225.tif 000015
【図１０Ａ】
2017229225.tif 000016
【図１０Ｂ】
2017229225.tif 000017
【図１０Ｃ】
2017229225.tif 000018
【図１１Ａ】
2017229225.tif 000019
【図１１Ｂ】
2017229225.tif 000020
【図１１Ｃ】
2017229225.tif 000021
【図１１Ｄ】
2017229225.tif 000022